(57)【特許請求の範囲】
【請求項１】
地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、前記支柱は、アルミ押出し型材で作製したものであり、表裏両面のそれぞれに、両側部と中央部に上下に渡る支持溝を形成するとともに、前記中央部の支持溝の両側で、両側部の支持溝より内側に係合溝を形成し、前記ブロックパネルを支持する部材を前記支持溝にネジを螺入して位置調節自在に取付けることを特徴とする間仕切パネルにおけるブロックパネルの取付装置。
【請求項２】
前記ブロックパネルは、少なくとも両側部に該パネル本体よりも突出した取付片を設けるとともに、該取付片の露出部に横長孔を形成し、該取付片を前記支柱の表面に接合した状態で前記横長孔から挿入したネジを前記支持溝内に螺入してなる請求項１記載の間仕切パネルにおけるブロックパネルの取付装置。
【請求項３】
前記支持溝は横幅に対する深さのアスペクト比を２以上に設定してなる請求項１又は２記載の間仕切パネルにおけるブロックパネルの取付装置。
【請求項４】
前記両係合溝に断面略コ字形の目地部材の両脚片を嵌入して左右に隣接するブロックパネル間に縦目地部を形成してなる請求項１記載の間仕切パネルにおけるブロックパネルの取付装置。
【請求項５】
地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、前記支柱は、少なくとも表面側に上下に渡る複数の支持溝を有し、前記ブロックパネルの背面の上部に沿って前記取付片を備えた横長の上連結金具を取付けるとともに、下部に沿って横長の下連結金具を取付け、前記上連結金具はパネル本体より上方へ前記取付片が突出するとともに、該取付片の上部に受片を形成し、前記下連結金具は前記受片に係止する係止部と下側のブロックパネルのパネル本体の背面に侵入する横目地片とを備え、前記取付片を前記支持溝にネジを螺入して位置調節自在に取付けることを特徴とする間仕切パネルにおけるブロックパネルの取付装置。
【発明の詳細な説明】
【技術分野】
【０００１】
本発明は、間仕切パネルにおけるブロックパネルの取付装置に関するものである。
【背景技術】
【０００２】
従来から、床面に固定した地レールと天井に固定した天レールとの間に複数の支柱を所定間隔毎に立設し、隣接する両支柱の表面側にブロックパネルの両端部を取付けるとともに、上下方向に複数のブロックパネルを配置した構造の間仕切パネルは各種提供されている。
【０００３】
例えば、特許文献１には、パネル本体上端の前縁に第１係止縁を上方へ突設するとともに、後縁に該第１係止縁よりも上方へ延びた固定片を突設し、前記パネル本体上端と第１係止縁及び固定片とで上方へ開口した凹溝を形成し、パネル本体下端の後縁部に前記固定片の前面側で前記凹溝内に係合し得る形状の脚片を下方へ突設し、前記フレームの両縦杆の前面側に分割パネルを沿わせて前記固定片を前方から前記縦杆にネジ止めし、下段の分割パネルの凹溝内に、第１係止縁の上方に空間部を残して上段の分割パネルの脚片下端部を上方から嵌合して保持する構造が開示されている。また、特許文献２には、支柱にパネルを支持する取付金具をネジ止めする構造が開示されている。
【０００４】
通常、ブロックパネルを支柱にネジ止めする場合、支柱の取付面に予め下穴を穿設しておき、ブロックパネルの取付片に形成した通孔にタッピンネジを通して前記下穴に螺合するという作業を行うが、複数のブロックパネルを上下方向に順次取付けるので、その取付位置が若干ずれると、その位置誤差が増幅して後のブロックパネルが取付不能になる事態が生じる。そのような不具合は、床面の不陸に起因する支柱の高さ位置のバラツキや、支柱間の間隔のズレ、あるいは支柱の曲がり等によっても発生する。
【先行技術文献】
【特許文献】
【０００５】
【特許文献１】特開２００９−１０２８５０号公報
【特許文献２】特開平１１−１５２８１６号公報
【発明の概要】
【発明が解決しようとする課題】
【０００６】
そこで、本発明が前述の状況に鑑み、解決しようとするところは、地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、支柱にブロックパネルをネジ止めする際の位置合せが容易であるとともに、支柱の位置が若干ずれていても、複数のブロックパネルを上下左右の相対的位置を正確に設定して取付けることが可能な間仕切パネルにおけるブロックパネルの取付装置を提供する点にある。
【課題を解決するための手段】
【０００７】
本発明は、前述の課題解決のために、地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、前記支柱は、アルミ押出し型材で作製したものであり、表裏両面のそれぞれに、両側部と中央部に上下に渡る支持溝を形成するとともに、前記中央部の支持溝の両側で、両側部の支持溝より内側に係合溝を形成し、前記ブロックパネルを支持する部材を前記支持溝にネジを螺入して位置調節自在に取付けることを特徴とする間仕切パネルにおけるブロックパネルの取付装置を構成した（請求項１）。
【０００８】
ここで、前記ブロックパネルは、少なくとも両側部に該パネル本体よりも突出した取付片を設けるとともに、該取付片の露出部に横長孔を形成し、該取付片を前記支柱の表面に接合した状態で前記横長孔から挿入したネジを前記支持溝内に螺入してなることが好ましい（請求項２）。
【０００９】
そして、前記支持溝は横幅に対する深さのアスペクト比を２以上に設定してなることがより好ましい（請求項３）。
【００１０】
更に、前記両係合溝に断面略コ字形の目地部材の両脚片を嵌入して左右に隣接するブロックパネル間に縦目地部を形成してなることも好ましい（請求項４）。
【００１１】
そして、本発明は、地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、前記支柱は、少なくとも表面側に上下に渡る複数の支持溝を有し、前記ブロックパネルの背面の上部に沿って前記取付片を備えた横長の上連結金具を取付けるとともに、下部に沿って横長の下連結金具を取付け、前記上連結金具はパネル本体より上方へ前記取付片が突出するとともに、該取付片の上部に受片を形成し、前記下連結金具は前記受片に係止する係止部と下側のブロックパネルのパネル本体の背面に侵入する横目地片とを備え、前記取付片を前記支持溝にネジを螺入して位置調節自在に取付けることを特徴とする間仕切パネルにおけるブロックパネルの取付装置を構成した（請求項５）。
【発明の効果】
【００１２】
以上にしてなる請求項１に係る発明の間仕切パネルにおけるブロックパネルの取付装置は、地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、前記支柱は、アルミ押出し型材で作製したものであり、表裏両面のそれぞれに、両側部と中央部に上下に渡る支持溝を形成するとともに、前記中央部の支持溝の両側で、両側部の支持溝より内側に係合溝を形成し、前記ブロックパネルを支持する部材を前記支持溝にネジを螺入して位置調節自在に取付けるので、支持溝の任意の高さにネジを螺入することができ、それによりブロックパネルを支持する部材を取付ける高さ位置の微調節やブロックパネルの水平出しを容易に行うことができ、施工性が格段に向上する。そして、支持溝の断面形状が一定となり、支持溝の上下任意の高さ位置にネジを螺入することができ、支持溝に螺入したネジでブロックパネルを支持する部材を確実に支柱に取付けることができる。また、中間に位置する支柱では、両側部に設けた支持溝を利用して、該支柱の両側にブロックパネルを取付けることができ、また壁面に沿って設けた支柱では、中央部の支持溝を利用してブロックパネルを壁面との間に余分な空間を設けることなく取付けることができる。
【００１３】
請求項２によれば、前記ブロックパネルは、少なくとも両側部に該パネル本体よりも突出した取付片を設けるとともに、該取付片の露出部に横長孔を形成し、該取付片を前記支柱の表面に接合した状態で前記横長孔から挿入したネジを前記支持溝内に螺入してなるので、隣接する支柱間の間隔が多少ずれていても、また支柱が多少曲がっていてもブロックパネルをネジ止めすることができ、またブロックパネルを取付ける左右位置の微調節も行うことができる。
【００１４】
請求項３によれば、前記支持溝は横幅に対する深さのアスペクト比を２以上に設定してなるので、ネジを螺入することができる。
【００１５】
請求項４によれば、前記両係合溝に断面略コ字形の目地部材の両脚片を嵌入して左右に隣接するブロックパネル間に縦目地部を形成してなるので、左右に隣接するブロックパネル間に露出する中央部の支持溝を、その両側に設けた係合溝に目地部材の両脚片を嵌入して縦目地部を形成することにより隠蔽することができる。
【００１６】
請求項５に係る発明の間仕切パネルにおけるブロックパネルの取付装置は、地レールと天レールとの間に複数の支柱を所定間隔毎に立設し、隣接する両支柱の表面側にブロックパネルの両端部をネジ止めするとともに、上下方向に複数のブロックパネルを順次取付ける構造の間仕切パネルにおいて、前記支柱は、少なくとも表面側に上下に渡る複数の支持溝を有し、前記ブロックパネルの背面の上部に沿って前記取付片を備えた横長の上連結金具を取付けるとともに、下部に沿って横長の下連結金具を取付け、前記上連結金具はパネル本体より上方へ前記取付片が突出するとともに、該取付片の上部に受片を形成し、前記下連結金具は前記受片に係止する係止部と下側のブロックパネルのパネル本体の背面に侵入する横目地片とを備え、前記取付片を前記支持溝にネジを螺入して位置調節自在に取付けるので、ブロックパネルの上連結金具の取付片を両側の支柱の支持溝にネジ止めした後、上部のブロックパネルの下連結金具の係止部を、下部のブロックパネルの上連結金具の受片に係止するとともに、上部のブロックパネルの下連結金具の横目地片を、下部のブロックパネルのパネル本体の背面に侵入させた状態で、上下のブロックパネルの間隔を調節しながら上部のブロックパネルの上連結金具の取付片を両側の支柱の支持溝にネジ止めすることにより、順次上方へブロックパネルを正確に取付けることができ、しかも下部のブロックパネルを取付けたネジは上部のブロックパネルの下連結金具の横目地片で隠蔽され、外観性に優れたものとなる。
【図面の簡単な説明】
【００１７】
【図１】本発明に係る間仕切パネルの部分正面図である。
【図２】支柱にブロックパネルを取付ける構造を示す分解斜視図である。
【図３】同じく支柱にブロックパネルを取付ける構造を示す分解側面図である。
【図４】本発明に係る間仕切パネルの縦断側面図である。
【図５】同じく本発明に係る間仕切パネルの横断平面図である。
【発明を実施するための形態】
【００１８】
次に、添付図面に示した実施形態に基づき、本発明を更に詳細に説明する。図１は本発明に係る間仕切パネルを示し、図２〜図５はその要部を示し、図中符号１は地レール、２は天レール、３は支柱、４はブロックパネル、５は上連結金具、６は下連結金具をそれぞれ示している。
【００１９】
本発明に係る間仕切パネルは、床面Ｆに固定した地レール１と天井Ｓに固定した天レール２との間に複数の支柱３，…を所定間隔毎に立設し、隣接する両支柱３，３の表面側にブロックパネル４の両端部を取付けるとともに、上下方向に複数のブロックパネル４，…を配置した構造である。前記ブロックパネル４は、パネル本体７の背面の上部に沿って横長の上連結金具５を取付けるとともに、下部に沿って横長の下連結金具６を取付け、下部のブロックパネル４の上連結金具５を両支柱３，３の表面側にネジ８にて取付け、上部のブロックパネル４の下連結金具６を下部のブロックパネル４の上連結金具５に係止するとともに、上連結金具５を両支柱３，３の表面側にネジ８にて取付けるといった手順で順次上方へ取付ける。
【００２０】
前記支柱３は、図２に示すように、アルミ押出し型材で作製したものであり、表裏両面のそれぞれに、両側部と中央部に上下に渡る前記支持溝９，９Ａを形成し、該支持溝９，９Ａは横幅に対する深さのアスペクト比を２以上に設定している。ここで、前記支柱３の表面の両側部に支持溝９，９を形成し、中央部に支持溝９Ａを形成している。これらの支持溝９，９Ａには十分な締付力でネジ８を螺入できるようになっている。ここで、前記ネジ８としてタッピンネジを用いることが好ましい。また、前記支柱３の表面側の一面のみに支持溝９，９のみを設けてもよいが、本実施形態のものが最も好ましい。
【００２１】
更に詳しくは、前記上連結金具５と下連結金具６は共にアルミ押出し型材で作製したものであり、適宜な長さに切断するとともに、端部を所望形状に加工して用いる。前記上連結金具５は、前記パネル本体７の背面上部に取付ける基板１０の上方に、該パネル本体７の背面との間に空間を設けて段折れ状に取付片１１を形成するとともに、該取付片１１の上方に、該取付片１１を支柱３の表面に接合した際に該支柱３の表面との間に隙間を形成するように段折れ状に受片１２を形成している。前記取付片１１は、前記パネル本体７の上方へ突出した部分を有し、この露出部の両側端部に前記ネジ８を挿通する横長孔１３を形成している。本実施形態では、前記横長孔１３は、それぞれの側部で左右に間隔を設けた対を上下に設け、合計４つ設けて、様々な取付態様に適用できるようにしている。上下に二対設けたのは、一つの横長孔１３を用いてネジ８の支持溝９への螺入に失敗した場合、あるいは一旦螺入したネジ８を外して再度螺入する場合に、同じ位置にネジ８を螺入すると強度が低下するのを避けるために、他の横長孔１３を用いて同じ支持溝９にネジ止めできるようにするためである。勿論、上下二箇所でネジ止めして取付強度を高める目的で使用する場合もある。
【００２２】
前記下連結金具６は、前記パネル本体７の背面下部に取付ける基板１４の上下中間部に、前記上連結金具５の受片１２に係止するとともに、前記支柱３の表面に当接する係止部１５を形成し、更に前記基板１４の下方を前記パネル本体７より下方へ突出するように延設して横目地片１６を形成している。
【００２３】
そして、図２〜図５に示すように、先ず下部ブロックパネル４の上連結金具５の両側部をネジ止めする。最下段のブロックパネル４の下連結金具６は後述する受け金具を用いて支持する。前記上連結金具５は、前記取付片１１に形成した外側の横長孔１３にネジ８を挿通して前記支柱３の近い方の側部の支持溝９に螺入して取付ける。それから、上部ブロックパネル４の下連結金具６の係止部１５を支柱３の表面に当接させて下方へ滑らして下部ブロックパネル４の上連結金具５の受片１２に係止すると同時に、上部ブロックパネル４の下連結金具６の横目地片１６を、下部ブロックパネル４のパネル本体７の背面上部に侵入させて、上下ブロックパネル４，４の間の隙間を遮蔽する。そして、上部ブロックパネル４の位置を微調節しながら上連結金具５を前記同様に支柱３にネジ止めするのである。このように、両側の支柱３，３の表裏両面にブロックパネル４，…を上下に取付けるとともに、支柱３を介して側方へ取付けるのである。
【００２４】
前記ブロックパネル４の取付位置は、微調節することができる。その場合、前記支柱３の支持溝９と取付片１１の横長孔１３とが交差する位置にネジ８を螺入するので、調節範囲が広く、施工性に優れている。
【００２５】
前記支柱３を介して両側に複数のブロックパネル４，…を取付ける場合、左右に隣接するブロックパネル４，４間に隙間を生じるように取付けると、前記支柱３の中央部の支持溝９Ａが露出するが、この場合には断面略コ字形の目地部材１７の両脚片１８，１８を前記中央部の支持溝９Ａの両側に形成した係合溝１９，１９に嵌入して、左右に隣接するブロックパネル４，４間に縦目地部を形成する。つまり、前記支柱３には、前記中央部の支持溝９Ａの両側で、両側部の支持溝９，９より内側に前記係合溝１９，１９を形成している。
【００２６】
上下左右のブロックパネル４，…を正確に取付けるために、その間にスペーサを介在させて位置を決めた後、上部ブロックパネル４を支柱３にネジ止めすることが好ましい。そして、施工後にスペーサを取り除くと、左右のパネル本体７，７と目地部材１７とで規定された縦目地部と、上下のパネル本体７，７と横目地片１６とで規定された横目地部が綺麗な形成される。
【００２７】
図４に示すように、最下段のブロックパネル４の下連結金具６を支持する受け金具２０は、上部に前記支柱３の表面に支持溝９を利用してネジ止めする取付片２１と、前記下連結金具６の横目地片１６を係合する係合部２２と、前記パネル本体７の下端を当止する水平支持部２３と、該水平支持部２３から下方に延びて前記地レール１の上部を覆うカバー部２４を有し、該カバー部２４の下端部には前記地レール１の側面に当接するシール部２５を設けている。
【００２８】
また、最上段のブロックパネル４の上連結金具５の取付片１１を含む露出部をカバー部材２６で覆っている。図示した実施形態では、最上段のブロックパネル４に設けた上連結金具５の形状が、他のものと若干異なるが、他のものと同じであっても良く、この形状の違いは本質的でない。
【００２９】
前記ブロックパネル４において、パネル本体７に上連結金具５と下連結金具６を取付ける構造は任意であり、該パネル本体７の材質及び構造に応じて決定され、接着、溶接、ネジ止め等の様々な固定手段を用い、更に上連結金具５と下連結金具６をパネル本体７と一体的に形成しても良い。
【００３０】
尚、図１及び図５に示すように、隣接する支柱３，３の間隔が広く、前記ブロックパネル４が表裏に撓む恐れがある場合には、両支柱３，３の中間に中間支柱２７を立設し、該中間支柱２７の表裏両面に取付けた当止部材２８，…でそれぞれブロックパネル４のパネル本体７の背面を当止するようにしても良い。
【００３１】
本実施形態では、前記支柱３の表裏両面にブロックパネル４を取付ける構造のものを示したが、支柱３の表面側のみにブロックパネル４を取付けるようにしたものでも良い。
【符号の説明】
【００３２】
１  地レール、            ２  天レール、
３  支柱、                ４  ブロックパネル、
５  上連結金具、          ６  下連結金具、
７  パネル本体、          ８  ネジ、
９  支持溝、              ９Ａ  支持溝、
１０  基板、              １１  取付片、
１２  受片、              １３  横長孔、
１４  基板、              １５  係止部、
１６  横目地片、          １７  目地部材、
１８  脚片、              １９  係合溝、
２０  受け金具、          ２１  取付片、
２２  係合部、            ２３  水平支持部、
２４  カバー部、          ２５  シール部、
２６  カバー部材、        ２７  中間支柱、
２８  当止部材、          Ｆ  床面、
Ｓ  天井。
【図１】
0005915019.tif 000002
【図２】
0005915019.tif 000003
【図３】
0005915019.tif 000004
【図４】
0005915019.tif 000005
【図５】
0005915019.tif 000006